【手続補正書】
【提出日】平成17年10月7日(2005.10.7)
【手続補正１】
【補正対象書類名】明細書
【補正対象項目名】特許請求の範囲
【補正方法】変更
【補正の内容】
【特許請求の範囲】
【請求項１】
基地局に接続し、無線通信を実行する通信端末装置において、
基地局からの受信信号に基づいて接続予定基地局を選択し、現接続基地局に対して接続予定基地局アドレスを含む切替要求パケットを生成し送信するとともに、
前記現接続基地局からの切替応答受信に基づいて、前記接続予定基地局に対して接続要求を送信し、該接続予定基地局からの接続応答に基づいて接続予定基地局との接続による通信を実行する構成を有することを特徴とする通信端末装置。
【請求項２】
前記基地局からの受信信号は、基地局情報を含むビーコンパケットであり、
前記通信端末装置は、前記ビーコンパケットに含まれる基地局情報または、ビーコン受信信号の電界強度の少なくともいずれかに基づいて、接続予定基地局の選択処理を実行する構成であることを特徴とする請求項１に記載の通信端末装置。
【請求項３】
前記通信端末装置は、
基地局と通信端末間における送受信データの暗号処理用鍵として接続基地局と共通の通信鍵を保有し、
前記接続予定基地局との接続による通信においては、前記現接続基地局とともに共有する通信鍵であり、前記現接続基地局から接続予定基地局に対して送信される通信鍵に基づいて送受信データの暗号処理を実行する構成であることを特徴とする請求項１に記載の通信端末装置。
【請求項４】
前記通信端末装置は、認証処理に適用する秘密鍵を有し、
基地局に対する接続に際して実行する認証サーバーとの認証処理において、認証サーバーの送信するシードに対して前記秘密鍵を適用した暗号化処理を実行する構成であることを特徴とする請求項１に記載の通信端末装置。
【請求項５】
通信端末装置の通信データの中継処理を実行する通信基地局装置であり、
現接続端末から、接続予定基地局アドレス情報を格納した切替要求の受信を条件として、端末アドレスと、現接続基地局アドレスと、接続予定基地局アドレスと、端末に対応する通信鍵を格納した切替準備要求パケットを上位ルーターを介して接続予定基地局に送信する処理を実行する構成を有することを特徴とする通信基地局装置。
【請求項６】
前記通信基地局装置は、
端末からの接続要求の受信を条件として、該端末アドレスを格納した認証要求を認証サーバーに送信し、認証サーバーと端末間の認証処理の仲介処理を実行するとともに、該認証結果に基づいて、前記端末の接続を実行する構成であることを特徴とする請求項５に記載の通信基地局装置。
【請求項７】
前記通信基地局装置は、
端末アドレスと通信鍵とを対応付けて格納した端末管理エントリ表を記憶する記憶部を有し、
ネットワーク上のデータ中継装置から、削除対象の端末アドレスを格納した経路削除要求パケットを受信し、該経路削除要求パケットの受信に基づいて、前記端末管理エントリ表の対応端末エントリを削除する処理を実行する構成であることを特徴とする請求項５に記載の通信基地局装置。
【請求項８】
通信端末装置の通信データの中継処理を実行する通信基地局装置であり、
端末アドレスと通信鍵とを対応付けて格納した端末管理エントリ表を記憶する記憶部を有し、
通信端末装置の現接続基地局から、端末アドレスと、現接続基地局アドレスと、接続予定基地局アドレスと、端末に対応する通信鍵を格納した切替準備要求パケットを受信し、該切替準備要求パケットに格納された端末アドレスと通信鍵とを抽出し、前記端末管理エントリ表の新規エントリとして追加する処理を実行する構成を有することを特徴とする通信基地局装置。
【請求項９】
前記通信基地局装置は、
前記端末管理エントリ表の新規エントリとして追加した端末宛てのパケットを、該端末の接続完了までの期間、バッファに格納する処理を実行するとともに、端末の接続完了後に、該バッファに格納したパケットを端末宛てに送信する処理を実行する構成であることを特徴とする請求項８に記載の通信基地局装置。
【請求項１０】
前記通信基地局装置は、
端末からの接続要求を受信し、該接続要求の実行端末に関するエントリが前記端末管理エントリ表に格納され、該端末に対応する通信鍵が格納済みであることを条件として、端末に対する接続許可を示す接続応答を送信する構成であることを特徴とする請求項８に記載の通信基地局装置。
【請求項１１】
ネットワーク上におけるデータ中継処理を実行するデータ中継装置であり、
パケットに設定される終点アドレスと、出力先としてのインタフェース番号リストを対応付けた経路エントリ表を有し、
通信端末の接続する基地局から、接続端末アドレスと、現接続基地局アドレスと、接続予定基地局アドレスと、端末に対応する通信鍵を格納した切替準備要求パケットを受信し、
該切替準備要求パケットに格納された現接続基地局アドレスと、接続予定基地局アドレスとに基づいて、自身が分岐ルータとしてのデータ中継装置であるか否かを判定し、分岐ルータである場合には、前記切替準備要求パケットに格納された端末アドレスに対応する前記経路エントリ表のエントリのインタフェース番号リストを、現接続基地局に対して設定されたインタフェース番号と、接続予定基地局に対して設定されたインタフェース番号との両者として設定する処理を実行するとともに、
該端末宛てのパケットを前記経路エントリ表に設定した複数のインタフェース番号に出力する処理を実行する構成を有することを特徴とするデータ中継装置。
【請求項１２】
前記データ中継装置は、
ネットワーク上の基地局から前記経路エントリ表に登録すべき端末アドレス情報を格納した経路登録要求を受信し、該経路登録要求の受信に基づいて、前記経路エントリ表の端末アドレスエントリに、該経路登録要求の送信基地局に対応して設定された出力インタフェース番号のみを設定情報とする経路エントリ表の更新を実行する構成であることを特徴とする請求項１１に記載のデータ中継装置。
【請求項１３】
前記データ中継装置は、
ネットワーク上の他のデータ中継装置から前記経路エントリ表から削除すべき端末アドレス情報を格納した経路削除要求を受信し、該経路削除要求の受信に基づいて、前記経路エントリ表の端末アドレスエントリの削除処理を実行する構成であることを特徴とする請求項１１に記載のデータ中継装置。
【請求項１４】
データ通信処理を実行する通信端末と、前記通信に対するデータ送受信処理を実行する基地局と、前記基地局に対して前記通信端末の通信データの中継処理を実行する中継装置とを含むデータ通信システムにおいて、
前記通信端末が接続基地局を切替える以前に、切替予定の基地局アドレス情報を格納した切替要求を現接続基地局に送信し、
前記現接続基地局は、前記切替要求の受信に基づいて、端末アドレスと、現接続基地局アドレスと、接続予定基地局アドレスと、端末に対応する通信鍵を格納した切替準備要求を中継装置および接続予定基地局に送信し、
前記中継装置は、前記切替準備要求の受信に基づいて、前記切替準備要求に格納された端末アドレスに対応する前記経路エントリ表のエントリのインタフェース番号リストを、現接続基地局に対して設定されたインタフェース番号と、接続予定基地局に対して設定されたインタフェース番号との両者として設定する処理を実行するとともに、
該端末宛てのパケットを前記経路エントリ表に設定した複数のインタフェース番号に出力する処理を実行する構成を有することを特徴とするデータ通信システム。
【請求項１５】
前記データ通信システムにおいて、
前記接続予定基地局は、前記切替準備要求の受信に基づいて、該切替準備要求に格納された端末アドレスと通信鍵データとを抽出し、該抽出データを対応付けて端末管理エントリ表の新規エントリとして追加する処理を実行する構成を有することを特徴とする請求項１４に記載のデータ通信システム。
【請求項１６】
前記データ通信システムにおいて、
前記接続予定基地局は、
前記端末管理エントリ表の新規エントリとして追加した端末宛てのパケットを、該端末の接続完了までの期間、バッファに格納する処理を実行するとともに、端末の接続完了後に、該バッファに格納したパケットを端末宛てに送信する処理を実行する構成であることを特徴とする請求項１５に記載のデータ通信システム。
【請求項１７】
基地局に接続し、無線通信を実行する通信端末装置における通信処理方法であり、
基地局からの受信信号に基づいて接続予定基地局を選択する基地局選択ステップと、
現接続基地局に対して接続予定基地局アドレスを含む切替要求パケットを生成し送信するステップと、
前記現接続基地局からの切替応答受信に基づいて、前記接続予定基地局に対して接続要求を送信するステップと、
該接続予定基地局からの接続応答に基づいて接続予定基地局との接続による通信を実行する通信ステップと、
を有することを特徴とする通信処理方法。
【請求項１８】
通信端末装置の通信データの中継処理を実行する通信基地局における中継データ処理方法であり、
現接続端末から、接続予定基地局アドレス情報を格納した切替要求を受信するステップと、
前記切替要求の受信を条件として、端末アドレスと、現接続基地局アドレスと、接続予定基地局アドレスと、端末に対応する通信鍵を格納した切替準備要求パケットを上位ルーターを介して接続予定基地局に送信するステップと、
を有することを特徴とする中継データ処理方法。
【請求項１９】
通信端末装置の通信データの中継処理を実行する通信基地局における中継データ処理方法であり、
通信端末装置の現接続基地局から、端末アドレスと、現接続基地局アドレスと、接続予定基地局アドレスと、端末に対応する通信鍵を格納した切替準備要求パケットを受信するステップと、
該切替準備要求パケットの受信に基づいて、該切替準備要求パケットに格納された端末アドレスと通信鍵とを抽出し、端末アドレスと通信鍵とを対応付けて格納した端末管理エントリ表の新規エントリとして追加する処理を実行するステップと、
を有することを特徴とする中継データ処理方法。
【請求項２０】
ネットワーク上におけるデータ中継処理を実行するデータ中継装置における中継データ処理方法であり、
通信端末の接続する基地局から、接続端末アドレスと、現接続基地局アドレスと、接続予定基地局アドレスと、端末に対応する通信鍵を格納した切替準備要求パケットを受信するステップと、
該切替準備要求パケットに格納された現接続基地局アドレスと、接続予定基地局アドレスとに基づいて、自身が分岐ルータとしてのデータ中継装置であるか否かを判定し、分岐ルータである場合には、パケットに設定される終点アドレスと、出力先としてのインタフェース番号リストを対応付けた経路エントリ表について、前記切替準備要求パケットに格納された端末アドレスに対応するエントリのインタフェース番号リストを、現接続基地局に対して設定されたインタフェース番号と、接続予定基地局に対して設定されたインタフェース番号との両者として設定する処理を実行するステップと、
該端末宛てのパケットを前記経路エントリ表に設定した複数のインタフェース番号に出力する処理を実行するステップと、
を有することを特徴とする中継データ処理方法。
【請求項２１】
データ通信処理を実行する通信端末と、前記通信に対するデータ送受信処理を実行する基地局と、前記基地局に対して前記通信端末の通信データの中継処理を実行する中継装置とを含むデータ通信システムにおけるデータ通信方法であり、
前記通信端末が接続基地局を切替える以前に、切替予定の基地局アドレス情報を格納した切替要求を現接続基地局に送信し、
前記現接続基地局において、前記切替要求の受信に基づいて、端末アドレスと、現接続基地局アドレスと、接続予定基地局アドレスと、端末に対応する通信鍵を格納した切替準備要求を中継装置および接続予定基地局に送信し、
前記中継装置において、前記切替準備要求の受信に基づいて、前記切替準備要求に格納された端末アドレスに対応する前記経路エントリ表のエントリのインタフェース番号リストを、現接続基地局に対して設定されたインタフェース番号と、接続予定基地局に対して設定されたインタフェース番号との両者として設定する処理を実行するとともに、
該端末宛てのパケットを前記経路エントリ表に設定した複数のインタフェース番号に出力する処理を実行することを特徴とするデータ通信方法。
【請求項２２】
基地局に接続し、無線通信を実行する通信端末装置における通信処理をコンピュータ・システム上で実行するために記述されたコンピュータ・プログラムであって、
基地局からの受信信号に基づいて接続予定基地局を選択する基地局選択ステップと、
現接続基地局に対して接続予定基地局アドレスを含む切替要求パケットを生成し送信するステップと、
前記現接続基地局からの切替応答受信に基づいて、前記接続予定基地局に対して接続要求を送信するステップと、
該接続予定基地局からの接続応答に基づいて接続予定基地局との接続による通信を実行する通信ステップと、
を有することを特徴とするコンピュータ・プログラム。
【請求項２３】
ネットワーク上におけるデータ中継処理を実行するデータ中継装置における中継データ処理をコンピュータ・システム上で実行するために記述されたコンピュータ・プログラムであって、
通信端末の接続する基地局から、接続端末アドレスと、現接続基地局アドレスと、接続予定基地局アドレスと、端末に対応する通信鍵を格納した切替準備要求パケットを受信するステップと、
該切替準備要求パケットに格納された現接続基地局アドレスと、接続予定基地局アドレスとに基づいて、自身が分岐ルータとしてのデータ中継装置であるか否かを判定し、分岐ルータである場合には、パケットに設定される終点アドレスと、出力先としてのインタフェース番号リストを対応付けた経路エントリ表について、前記切替準備要求パケットに格納された端末アドレスに対応するエントリのインタフェース番号リストを、現接続基地局に対して設定されたインタフェース番号と、接続予定基地局に対して設定されたインタフェース番号との両者として設定する処理を実行するステップと、
該端末宛てのパケットを前記経路エントリ表に設定した複数のインタフェース番号に出力する処理を実行するステップと、
を有することを特徴とするコンピュータ・プログラム。
【手続補正２】
【補正対象書類名】明細書
【補正対象項目名】０００５
【補正方法】変更
【補正の内容】
【０００５】
図１に示すセルラー無線ネットワーク系には、基地局１１１がＡ〜Ｇとして示され、それぞれの基地局が端末接続通信領域としてのセル１１２を有する。端末１０１は、例えば図に示すように、基地局Ｃ→Ｆ→Ｄ→Ｇ→Ｅ→Ｂの各セルを移動する。